(57)【特許請求の範囲】
【請求項１】
軸線方向のカーボン繊維を強化繊維とするメイン層を有する竿本体の内周面に、該内周面から突出するように螺旋状糸ガイドが一体化された中通し竿において、
螺旋状糸ガイドが存在しない領域が穂先部に形成されるように、螺旋状糸ガイドの竿先側端部は竿本体の穂先先端部から所定長さ竿尻側に位置し、
該螺旋状糸ガイドの竿先側端部よりも竿先側においてメイン層の内側にはガラス繊維を強化繊維とするガラス繊維層が形成され、該ガラス繊維層はメイン層の竿先側端部よりも竿先側に延びており、
メイン層の外側には螺旋状糸ガイドの竿先側端部の位置を軸線方向に跨ぐようにしてガラス繊維を強化繊維とする外側ガラス繊維層が所定長さ形成されていることを特徴とする中通し竿。
【請求項２】
外側ガラス繊維層は、メイン層の竿先側端部よりも竿先側に延びてガラス繊維層と一体化している請求項１記載の中通し竿。
【請求項３】
ガラス繊維層のガラス繊維と外側ガラス繊維層のガラス繊維が何れも軸線方向に沿っている請求項２記載の中通し竿。
【請求項４】
ガラス繊維層のガラス繊維は軸線方向に沿っていて、該ガラス繊維層が螺旋状糸ガイドの竿先側端部から竿本体の穂先先端部までの間の全長に亘って形成されている請求項１乃至３の何れかに記載の中通し竿。
【請求項５】
強化繊維が周方向に沿った内層が竿本体の全長に亘って形成されて竿本体の内周面を形成している請求項４記載の中通し竿。
【請求項６】
軸線方向のカーボン繊維を強化繊維とするメイン層を有する竿本体の内周面に、該内周面から突出するように複数の環状糸ガイドが一体化された中通し竿において、
環状糸ガイドが存在しない領域が穂先部に形成されるように、最先の環状糸ガイドは竿本体の穂先先端部から所定長さ竿尻側に位置し、
最先の環状糸ガイドよりも竿先側においてメイン層の内側にはガラス繊維を強化繊維とするガラス繊維層が形成され、該ガラス繊維層はメイン層の竿先側端部よりも竿先側に延びており、
メイン層の外側には最先の環状糸ガイドの位置を軸線方向に跨ぐようにしてガラス繊維を強化繊維とする外側ガラス繊維層が所定長さ形成されていることを特徴とする中通し竿。
【発明の詳細な説明】
【技術分野】
【０００１】
本発明は、釣竿の内部に釣り糸を挿通させる中通し竿に関する。
【背景技術】
【０００２】
釣竿の内部に釣り糸を挿通して穂先先端部の開口から外部に出すようにする構造の中通し竿においては、釣竿の内周面に釣り糸を案内するための釣り糸案内部を形成することが一般的である。
【０００３】
該釣り糸案内部としては、下記特許文献１のようにマンドレルに撚り糸を所定ピッチで螺旋状に巻回した上にプリプレグを巻回して加熱焼成することにより、竿本体の内周面に撚り糸からなる螺旋状糸ガイドを釣り糸案内部として一体化して突出形成することが公知である。このように撚り糸からなる螺旋状糸ガイドを竿本体の内周面に一体化すると螺旋状糸ガイドの影響によって竿の調子が硬くなりやすい。中通し竿は穂先まで中空状であるため、特に穂先において軟らかい調子を出すことが困難である。
【０００４】
そこで、螺旋状糸ガイドを穂先先端部まで形成するのではなく、穂先部を螺旋状糸ガイドが存在しない領域とすることが考えられる。下記特許文献２においては、螺旋状糸ガイドが存在しない領域における竿本体の内周面に別途補強層を積層して、螺旋状糸ガイドが存在する竿尻側領域と螺旋状糸ガイドが存在しない竿先側領域との間の境界部分における強度低下を防止しようとする案も提案されている。この下記特許文献２においては、竿本体の軸線方向のカーボン繊維の層を穂先先端部まで形成し、竿本体の竿尻側領域の内周面には螺旋状糸ガイドを形成する一方、竿本体の竿先側領域の内周面には別途補強層を積層している。しかしながら、螺旋状糸ガイドが存在しない竿先側領域においては、竿本体の軸線方向のカーボン繊維の層が穂先先端部まで形成されているうえに更に竿本体の内周面の内側に別途補強層が積層されているため、穂先の調子が硬くなり過ぎて、魚やイカのアタリを弾きやすいという問題がある。
【０００５】
一方、下記特許文献３のように竿本体内周のプリプレグの一部を内側に突出させることで竿本体の内周面を凹凸形成してその凸部から釣り糸案内部を構成することもある。この場合には竿本体に一体化させる螺旋状糸ガイドが不要になるという利点がある。しかしながら、この場合においても釣り糸案内部として凸部を形成することから、その凸部の突出量を大きくすると穂先において調子が硬くなりやすい。そこで、この凸部を微小突起として該微小突起を釣り糸案内部とすることで、竿本体の肉厚変化を極小とする構成も考えられる。しかしながら、この構成の場合においても穂先側ほど微小突起の影響が竿尻側に比べて相対的に大きくなるので、穂先の肉厚を薄くして調子を軟らかくすることには限界がある。
【先行技術文献】
【特許文献】
【０００６】
【特許文献１】特開平７−３９２７７号公報
【特許文献２】特開２００３−１１６４１９号公報
【特許文献３】実開平５−８８２５９号公報
【発明の概要】
【発明が解決しようとする課題】
【０００７】
それゆえに本発明は上記従来の問題点に鑑みてなされ、穂先に軟らかい調子を出すことが容易な中通し竿を提供することを課題とする。
【課題を解決するための手段】
【０００８】
本発明は上記課題を解決すべくなされたものであって、本発明に係る中通し竿は、軸線方向のカーボン繊維を強化繊維とするメイン層を有する竿本体の内周面に、該内周面から突出するように螺旋状糸ガイドが一体化された中通し竿において、螺旋状糸ガイドが存在しない領域が穂先部に形成されるように、螺旋状糸ガイドの竿先側端部は竿本体の穂先先端部から所定長さ竿尻側に位置し、該螺旋状糸ガイドの竿先側端部よりも竿先側においてメイン層の内側にはガラス繊維を強化繊維とするガラス繊維層が形成され、該ガラス繊維層はメイン層の竿先側端部よりも竿先側に延びており、メイン層の外側には螺旋状糸ガイドの竿先側端部の位置を軸線方向に跨ぐようにしてガラス繊維を強化繊維とする外側ガラス繊維層が所定長さ形成されていることを特徴とする。
【０００９】
該構成の中通し竿は、竿本体の内周面に一体化された螺旋状糸ガイドによって釣り糸が案内される。また、穂先部には螺旋状糸ガイドが存在しない領域が形成されているので、螺旋状糸ガイドの存在によって穂先部の調子が硬くなりすぎるということがない。そして、螺旋状糸ガイドの竿先側端部よりも竿先側においてメイン層の内側にはガラス繊維層が形成され、該ガラス繊維層がメイン層の竿先側端部よりも竿先側に延びているので、メイン層が竿本体の穂先先端部まで形成されている構成に比して調子を軟らかくすることができる。また、ガラス繊維であるのでカーボン繊維に比して軟らかい調子に調整することが容易である。
【００１０】
特に、ガラス繊維層のガラス繊維は軸線方向に沿っていて、該ガラス繊維層が螺旋状糸ガイドの竿先側端部から竿本体の穂先先端部までの間の全長に亘って形成されていることが好ましい。ガラス繊維層に軸線方向に沿ったガラス繊維を使用することで、メイン層が穂先先端部まで形成されていなくても穂先部の曲げ強度を容易に確保することができる。また、そのガラス繊維層を螺旋状糸ガイドの竿先側端部から竿本体の穂先先端部までの間の全長に亘って形成することにより、螺旋状糸ガイドが存在しない領域における竿の調子を、ガラス繊維層の厚さや樹脂含有率等を調整することで容易に調整することができる。
【００１１】
更に、強化繊維が周方向に沿った内層が竿本体の全長に亘って形成されて竿本体の内周面を形成していることが好ましい。竿本体の内周面を構成する内層と螺旋状糸ガイドが共に周方向に沿っているので、竿本体の内周面に螺旋状糸ガイドを強固に一体化させることができる。また、螺旋状糸ガイドの竿先側端部において竿本体の内周面に段差が生じても、強化繊維が周方向に沿った内層がその段差に容易に追従する。更に、螺旋状糸ガイドの竿先側端部よりも竿先側において、ガラス繊維層が内周面に露出しているのではなくその内側に内層が存在していて竿本体の内周面を形成しているので、ガラス繊維層の竿尻側端部が露出することなく内層で覆われることになり、螺旋状糸ガイドの竿先側端部近傍における竿本体の内周面の形状が安定化し、螺旋状糸ガイドの竿先側端部近傍において釣り糸の通過抵抗が想定外に増大するということが防止される。
【００１２】
一方、メイン層の外側には螺旋状糸ガイドの竿先側端部の位置を軸線方向に跨ぐようにしてガラス繊維を強化繊維とする外側ガラス繊維層が所定長さ形成されている。螺旋状糸ガイドが存在する竿尻側の領域と螺旋状糸ガイドが存在しない竿先側の領域との間の境界部分近傍を外側ガラス繊維層によって効果的に補強することができ、境界部分近傍における応力集中を緩和できると共に、螺旋状糸ガイドが存在する竿尻側の領域から螺旋状糸ガイドが存在しない竿先側の領域にかけての曲がり具合をスムーズにすることができる。特にガラス繊維を使用しているので境界部分近傍において竿本体の調子に特有の粘りを出すことができる。そして、螺旋状糸ガイドの竿先側端部よりも竿先側においてはカーボン繊維を使用したメイン層が内側のガラス繊維層と外側ガラス繊維層によってサンドイッチされた層構造となるので、螺旋状糸ガイドの竿先側端部よりも竿先側におけるメイン層を薄くすることができ、軟らかくて粘りのある穂先の調子を容易に出すことができる。
【００１３】
特に外側ガラス繊維層がメイン層の竿先側端部よりも竿先側に延びてガラス繊維層と一体化していることが好ましい。螺旋状糸ガイドの竿先側端部とメイン層の竿先側端部という穂先部における二つの重要なポイントを外側ガラス繊維層によって効果的に補強することができる。しかも、メイン層の竿先側端部よりも竿先側において内外二つのガラス繊維層が一体化することで、メイン層の竿先側端部近傍における調子の変化を抑制できる。
【００１４】
その場合特に、ガラス繊維層のガラス繊維と外側ガラス繊維層のガラス繊維が何れも軸線方向に沿っていることが好ましく、メイン層の竿先側端部よりも竿先側において内外二つのガラス繊維層が一体化して一つの軸線方向に沿ったガラス繊維層として機能する。
【００１５】
また、本発明に係る中通し竿は、軸線方向のカーボン繊維を強化繊維とするメイン層を有する竿本体の内周面に、該内周面から突出するように複数の環状糸ガイドが一体化された中通し竿において、環状糸ガイドが存在しない領域が穂先部に形成されるように、最先の環状糸ガイドは竿本体の穂先先端部から所定長さ竿尻側に位置し、最先の環状糸ガイドよりも竿先側においてメイン層の内側にはガラス繊維を強化繊維とするガラス繊維層が形成され、該ガラス繊維層はメイン層の竿先側端部よりも竿先側に延びており、メイン層の外側には最先の環状糸ガイドの位置を軸線方向に跨ぐようにしてガラス繊維を強化繊維とする外側ガラス繊維層が所定長さ形成されていることを特徴とする。
【００１６】
該構成の中通し竿にあっては、竿本体の内周面に一体化された複数の環状糸ガイドによって釣り糸が案内される。また、穂先部には環状糸ガイドが存在しない領域が形成されているので、環状糸ガイドの存在によって穂先部の調子が硬くなりすぎるということがない。そして、最先の環状糸ガイドよりも竿先側においてメイン層の内側にはガラス繊維層が形成され、該ガラス繊維層がメイン層の竿先側端部よりも竿先側に延びているので、メイン層が竿本体の穂先先端部まで形成されている構成に比して調子を軟らかくすることができる。また、ガラス繊維であるのでカーボン繊維に比して軟らかい調子に調整することが容易である。
【発明の効果】
【００１９】
以上のように、本発明に係る中通し竿にあっては、螺旋状糸ガイドの竿先側端部よりも竿先側あるいは最先の環状糸ガイドよりも竿先側において、メイン層の内側にガラス繊維層が形成され、該ガラス繊維層がメイン層の竿先側端部よりも竿先側に延びているので、穂先に軟らかい調子を出すことが容易となり、魚やイカのアタリを弾きにくくなる。
【図面の簡単な説明】
【００２１】
【図１】本発明の一実施形態における中通し竿の要部断面図。
【図２】図１のＡ部拡大図。
【図３】図１のＢ部拡大図。
【図４】図１のＣ部拡大図。
【図５】図１のＤ部拡大図。
【図６】図１のＥ部拡大図。
【図７】同実施形態における中通し竿の製造工程図。
【図８】同実施形態における中通し竿の要部を示す正面図。
【図９】同実施形態における中通し竿の要部断面図。
【図１０】本発明の他の実施形態における中通し竿の要部断面図。
【図１１】参考例としての中通し竿の要部断面図。
【図１２】図１１のＦ部拡大図。
【図１３】図１１のＧ部拡大図。
【図１４】同参考例の中通し竿の製造工程を示す要部断面図。
【発明を実施するための形態】
【００２２】
以下、本発明の一実施形態に係る中通し竿について図面を参酌しつつ説明する。図１に本実施形態における中通し竿の竿本体１における竿先側の部分を、中心線から片側のみの断面図として示している。尚、竿本体１は、中通し竿をワンピース即ち一本の竿体から構成する場合にはその竿体であり、中通し竿をツーピース以上即ち二本以上の竿体から構成する並継ぎタイプや振り出しタイプの構成ではその一番竿（穂先竿）である。
【００２３】
竿本体１の内周面１ａには螺旋状糸ガイド２が一体化されている。該螺旋状糸ガイド２は釣り糸を案内するための釣り糸案内部であって、竿本体１の内周面１ａから突出するように形成されていると共に竿本体１を加熱焼成する際に竿本体１の内周面１ａに一体化されたものである。該螺旋状糸ガイド２には、例えば合成樹脂が含浸されてカーボン繊維等の繊維を束ねて撚った撚り糸を使用することができ、例えば１ｍｍ以下即ち数百μｍ程度の直径のものが好ましい。但し、テープ状のプリプレグを使用したり、単繊維を使用したりしてもよい。螺旋状糸ガイド２は、竿本体１の竿尻側端部あるいはその近傍まで形成されている一方、竿先側（穂先側）においては穂先先端部１ｂまでは形成されておらずにそれに至る途中において終端している。即ち、螺旋状糸ガイド２の竿先側端部２ａは竿本体１の穂先先端部１ｂから所定長さ竿尻側に位置しており、竿本体１において螺旋状糸ガイド２の竿先側端部２ａよりも竿先側の領域は、螺旋状糸ガイド２が形成されていないガイドレス領域となっている。図１において領域Ｐ２がガイドレス領域であり、該ガイドレス領域は例えば竿本体１の全長のうちの竿先側半分以下の領域である。このように竿本体１の穂先部は螺旋状糸ガイド２のないガイドレス領域となっている。
【００２４】
尚、図１において、領域Ｐ１は内層３が形成された領域であり、領域Ｐ２はガイドレス領域であると同時にガラス繊維層４が形成された領域であり、領域Ｐ３はメイン層５が形成された領域であり、領域Ｐ４は外側ガラス繊維層６が形成された領域であり、領域Ｐ５は外層７が形成された領域である。尚、図１において領域Ｐ１，Ｐ３，Ｐ５については竿先側のみを示している。
【００２５】
内層３は、図２乃至図６のように竿本体１の全長に亘って形成されている。即ち、内層３は竿本体１の穂先先端部１ｂまで形成されている。該内層３は竿本体１の内周面１ａを形成しており、数十μｍ程度の薄肉であって且つ竿本体１の全長に亘って一定厚さにて形成されている。該内層３は、強化繊維が竿本体１の周方向に沿った層であって、強化繊維としてカーボン繊維が使用されている。上述したように螺旋状糸ガイド２が竿本体１の穂先先端部１ｂまで形成されていないので、図５に示すように、螺旋状糸ガイド２の竿先側端部２ａにおいて内層３には段差が生じている。該段差は竿先側が竿尻側に対して一段内側となるものであってその大きさは螺旋状糸ガイド２の突出量と略等しい。
【００２６】
ガラス繊維層４は、図２乃至図４に示すように内層３の外側に形成されていて、ガイドレス領域である領域Ｐ２に形成されている。即ち、ガラス繊維層４は、螺旋状糸ガイド２の竿先側端部２ａから竿本体１の穂先先端部１ｂまでの間の全長に亘って形成されている。該ガラス繊維層４は、強化繊維であるガラス繊維が竿本体１の軸線方向に沿った層である。また、ガラス繊維層４は、内層３よりも厚肉であって全長に亘って一定厚さであり、その厚さは螺旋状糸ガイド２の突出量と略等しいかあるいはその突出量よりも小さい。但し、ガラス繊維の厚さを竿先側に向かって厚肉にしたり薄肉にしたりしてもよく、その厚さが螺旋状糸ガイド２の突出量よりも大きくなるようにしてもよい。尚、ガラス繊維層４の内側には内層３が形成されているので、ガラス繊維層４の竿尻側端部４ａが露出することなく内層３で覆われている。
【００２７】
メイン層５は、竿本体１を構成する主たる層であって、強化繊維であるカーボン繊維が竿本体１の軸線方向に沿った層である。該メイン層５は、図４乃至図６のように竿本体１の竿先側の所定領域を除く全領域に形成されている。即ち、メイン層５の竿先側端部５ａは、竿本体１の穂先先端部１ｂから所定長さ竿尻側に位置している。該メイン層５は、螺旋状糸ガイド２が形成されている竿尻側の領域においては内層３の外側に形成され、螺旋状糸ガイド２が形成されていない竿先側の領域即ちガイドレス領域（領域Ｐ２）においてはガラス繊維層４の外側に形成されている。但し、ガラス繊維層４が竿本体１の穂先先端部１ｂまで形成されている一方、メイン層５は竿本体１の穂先先端部１ｂまで形成されていないので、内側のガラス繊維層４は外側のメイン層５よりも竿先側に延びていることになる。尚、メイン層５の厚さは、ガラス繊維層４の外側においてはガラス繊維層４の厚さと同程度か薄くすることが好ましい。また、メイン層５は、図５に示すように、螺旋状糸ガイド２の竿先側端部２ａよりも竿先側に延びてガラス繊維層４の外側に位置しているが、その螺旋状糸ガイド２の竿先側端部２ａにおいてメイン層５は径方向に僅かに段差を生じる程度かあるいは段差のない状態であることが好ましい。
【００２８】
メイン層５の外側には図３乃至図６のように外側ガラス繊維層６が所定長さ範囲に亘って形成されている。該外側ガラス繊維層６もガラス繊維を強化繊維とする層であってそのガラス繊維は竿本体１の軸線方向に沿っている。外側ガラス繊維層６は、螺旋状糸ガイド２の竿先側端部２ａの位置を竿本体１の軸線方向に跨ぐようにしてメイン層５の外側に形成され、メイン層５の竿先側端部５ａよりも竿先側に所定長さ延びている。従って、外側ガラス繊維層６は、螺旋状糸ガイド２の竿先側端部２ａとメイン層５の竿先側端部５ａを外側から覆うように形成されている。そして、メイン層５の竿先側端部５ａよりも竿先側においては、図３及び図４のように外側ガラス繊維層６とガラス繊維層４とが互いに積層状態となって密着一体化している。即ち、メイン層５の竿先側端部５ａは、外側ガラス繊維層６とガラス繊維層４の二つの層によって内外からサンドイッチされて覆われた状態となっている。但し、図３のように外側ガラス繊維層６は竿本体１の穂先先端部１ｂまで達しておらず、その竿先側端部６ａは竿本体１の穂先先端部１ｂよりも竿尻側に位置している。また、図６のように外側ガラス繊維層６はその竿尻側端部６ｂにおいて厚さがメイン層５よりも薄い。尚、図１のように、螺旋状糸ガイド２の竿先側端部２ａの位置が領域Ｐ４の略中央に位置するように外側ガラス繊維層６が形成されることが好ましい。
【００２９】
外層７は、図２乃至図６のように内層３と同様に竿本体１の全長に亘って形成されている。即ち、図２のように外層７も竿本体１の穂先先端部１ｂまで形成されている。該外層７は、内層３と同様に数十μｍ程度の薄肉であって且つ竿本体１の全長に亘って一定厚さで形成されている。但し、外層７を多層構造とするなどして内層３よりも厚く形成してもよい。該外層７も内層３と同様に強化繊維が竿本体１の周方向に沿った層であって、強化繊維としてカーボン繊維が使用されている。
【００３０】
以上のように構成された竿本体１は、図７に示すように芯体であるマンドレル１０に各構成部材を巻回していくことにより形成される。まず、螺旋状糸ガイド２となる糸状部材１１をマンドレル１０に竿先側の所定領域を除いて所定ピッチで螺旋状に巻回し、糸状部材１１間の隙間には糸状部材１１の直径と略等しい厚さの樹脂製の除去テープ１２を巻回する。該除去テープ１２は焼成後に除去されるものである。そして、内層３となる図示しないテープ状のプリプレグを全長に亘って螺旋状に密巻に巻回する。即ち、糸状部材１１及び除去テープ１２を巻回している竿尻側の領域のみならず巻回していない竿先側の領域にもテープ状のプリプレグを巻回する。該テープ状のプリプレグはその長手方向に沿って強化繊維であるカーボン繊維が引き揃えられたものであり、種々の厚さのものを使用できる。尚、密巻とは隙間を空けない状態であって且つオーバーラップすることがない状態で巻きつけていくことであり、この密巻によって内層３が隙間なく一定厚さにて形成される。
【００３１】
尚、テープ状のプリプレグを巻回する前に、糸状部材１１と除去テープ１２の竿先側端部を所定幅の口巻きテープ１３で補強してもよい。該口巻きテープ１３はカーボン繊維等の強化繊維が口巻きテープ１３の長手方向即ち竿本体１の周方向となるように引き揃えられたプリプレグから構成することができ、例えば１乃至２回程度周回させて補強する。
【００３２】
そして、内層３を形成するためのテープ状のプリプレグを巻回した後、ガラス繊維層４を形成すべくガラス繊維が軸線方向に引き揃えられたシート状のプリプレグ１４を、糸状部材１１及び除去テープ１２を巻回していない竿先側の部分の全範囲にのみ巻回する。尚、ガラス繊維層４を形成するためのプリプレグ１４には、低い樹脂含有率のものを使用することが好ましく、特に樹脂含有率を３０％以下とすることが好ましい。
【００３３】
更に、その上からメイン層５となるプリプレグ１５を巻回する。該メイン層５のプリプレグ１５は、カーボン繊維が軸線方向に引き揃えられたシート状のプリプレグであって、ガラス繊維層４のプリプレグ１４の竿尻側に所定長さオーバーラップするようにして巻回する。即ち、メイン層５のプリプレグ１５は、糸状部材１１と除去テープ１２の竿先側端部よりも竿先側に所定長さ越えた領域まで巻回するが、竿本体１の穂先先端部１ｂまでは巻回しない。
【００３４】
そして、糸状部材１１と除去テープ１２の竿先側端部を軸線方向に跨ぐようにして、外側ガラス繊維層６となるプリプレグ１６を巻回する。該外側ガラス繊維層６のプリプレグ１６は、ガラス繊維が軸線方向に引き揃えられたシート状のプリプレグであって、メイン層５のプリプレグ１５よりも竿先側に越えて巻回する。
【００３５】
その上で更に、外層７となる図示しないテープ状のプリプレグを密巻に巻回する。該テープ状のプリプレグは内層３を形成するためのテープ状のプリプレグと同様のものを使用できるが、その巻回方向は内層３とは反対にすることが好ましい。尚、テープ状のプリプレグを密巻に巻回した上に、更に同仕様あるいは別仕様のテープ状のプリプレグを所定ピッチで隙間を空けつつ螺旋状に巻回してもよい。テープ状のプリプレグを所定ピッチで隙間を空けつつ螺旋状に巻回する場合には二重仕様とすることが好ましい。即ち、一度テープ状のプリプレグを所定ピッチで隙間を空けつつ螺旋状に巻回した上から、更に逆向きの巻回方向で再度所定ピッチで隙間を空けつつ螺旋状に巻回し、この上下のテープ状のプリプレグが互いにＸ状にクロスさせるようにすることが好ましい。このように外層７は１回巻き仕様に限らず２回巻き以上の仕様であってもよい。尚、ガラス繊維層４のプリプレグ１４やメイン層５のプリプレグ１５、外側ガラス繊維層６のプリプレグ１６の枚数や形状についても任意であって一枚であっても二枚以上であってもよい。二枚以上とする場合には強化繊維の弾性率や方向、樹脂含有率等の仕様を互いに同じものとしても異なるものとしてもよい。
【００３６】
このようにマンドレル１０に各構成部材を巻回した後、加熱焼成して除去テープ１２を除去すると、竿本体１の内周面１ａには螺旋状糸ガイド２が一体化されて竿本体１の内周面１ａから所定量突出した状態となる。内層３の強化繊維と螺旋状糸ガイド２が共に周方向に沿っているので、竿本体１の内周面１ａに螺旋状糸ガイド２が強固に一体化する。
【００３７】
このように形成された竿本体１の穂先先端部１ｂには図８及び図９のようにトップガイド２０が装着される。トップガイド２０は、竿本体１の穂先先端部１ｂの外側に取り付けられたホルダーベース２１と、竿本体１の竿先側前方にガイドリング２２を位置させるためのガイドホルダー２３と、取り替え自在な蓄光体２４とを有している。
【００３８】
ホルダーベース２１は筒状であって竿本体１の穂先先端部１ｂの外側に嵌合されて接着剤により固定される。該ホルダーベース２１の外側には筒状の蓄光体２４が着脱可能に装着される。該蓄光体２４は、その表面に蓄光塗料を塗布したものであって、この蓄光体２４を備えることにより穂先部を光らせることができることから、特に夜間の釣りにおいて効果が大きい。また、蓄光体２４が着脱自在であるので、発光量が経年劣化により低下した場合には容易に取り替えることができる。ホルダーベース２１の外周面竿尻側は段差部２１ａを介して一段大径となっており、該段差部２１ａに蓄光体２４が当接してそれ以上の竿尻側への移動が阻止される構成となっている。
【００３９】
また、ホルダーベース２１の竿先側外周面には雄ネジ部２１ｂが形成されており、該雄ネジ部２１ｂに筒状のガイドホルダー２３が螺着されている。該ガイドホルダー２３の先端部にはガイドリング２２が取り付けられ、竿尻側内周面には雌ネジ部２３ａが形成されており、該雌ネジ部２３ａがホルダーベース２１の雄ネジ部２１ｂと螺合する。また、ガイドホルダー２３の内周面には、ガイドリング２２の竿尻側の位置に環状のストッパー壁２３ｂが中心に向けて突設されており、該ストッパー壁２３ｂの竿尻側の端面がホルダーベース２１の先端面に当接することによりそれ以上のガイドホルダー２３の竿尻側への移動が阻止される。
【００４０】
尚、ホルダーベース２１の先端面は竿本体１の穂先先端部１ｂの端面よりも若干竿先側（前側）に位置しており、従って、ガイドホルダー２３のストッパー壁２３ｂはホルダーベース２１には当接するものの竿本体１の穂先先端部１ｂには当接しない。尚、ガイドホルダー２３の外周面は竿尻側端部に向けて徐々に縮径しており、蓄光体２４の内側に所定長さ入り込んだ状態となる。従って、蓄光体２４はガイドホルダー２３の存在によって竿先側への移動が阻止される。また、雄ネジ部２１ｂの竿尻側端部が蓄光体２４で外側から覆われることになり、雄ネジ部２１ｂの露出が防止される。
【００４１】
また、竿本体１の外周面においてホルダーベース２１よりも竿尻側の位置には、糸が巻回された巻糸部２５が形成されている。該巻糸部２５は竿本体１の外周面とホルダーベース２１の外周面との間の径差を軽減し、釣り糸がホルダーベース２１に絡むことを防止すると共に竿本体１の穂先部を装飾する機能も発揮する。該巻糸部２５は樹脂コート層２６で被覆されている。ホルダーベース２１の竿尻側外周面は竿尻側に向けてテーパ状に縮径しており、樹脂コート層２６は巻糸部２５の全体を覆うと共にホルダーベース２１の縮径部２１ｃまで達してその一部を被覆している。即ち、樹脂コート層２６は巻糸部２５とホルダーベース２１とを架橋し連結一体化している。また、樹脂コート層２６の竿尻側端部にはテーパ状に縮径した縮径部２６ａが形成されており、この縮径部２６ａによって釣り糸が絡みにくいようになっている。
【００４２】
以上のように構成された中通し竿にあっては、穂先部が螺旋状糸ガイド２のないガイドレス領域となっているので、穂先の調子を軟らかくしやすく、魚やイカのアタリを弾くことなくフッキングさせやすい。そして、メイン層５の内側のガラス繊維層４がメイン層５よりも竿先側に延びているので、メイン層５が竿本体１の穂先先端部１ｂまで形成されている構成に比して穂先の調子を容易に軟らかくすることができる。また、ガラス繊維層４のガラス繊維が軸線方向に沿っているので、メイン層５が竿本体１の穂先先端部１ｂまで形成されていなくても穂先部の曲げ強度を容易に確保することができる。しかも、ガラス繊維層４がガイドレス領域の全長に亘って形成されているので、ガラス繊維層４の厚さや樹脂含有率等を調整することでガイドレス領域における竿の調子を一括的に容易に調整することができる。
【００４３】
また、内層３が全長に亘って形成されているので、螺旋状糸ガイド２の竿先側端部２ａにおいて竿本体１の内周面１ａに段差が生じても、強化繊維が周方向に沿っている内層３がその段差に容易に追従する。更に、ガラス繊維層４の竿尻側端部４ａが露出することなく内層３で内側から覆われることになり、螺旋状糸ガイド２の竿先側端部２ａ近傍における竿本体１の内周面１ａの形状が安定化する。従って、螺旋状糸ガイド２の竿先側端部２ａ近傍において釣り糸の通過抵抗が想定外に増大するということが防止される。
【００４４】
更に、外側ガラス繊維層６が螺旋状糸ガイド２の竿先側端部２ａの位置を軸線方向に跨ぐように形成されているので、螺旋状糸ガイド２が存在する竿尻側の領域と螺旋状糸ガイド２が存在しない竿先側の領域との間の境界部分近傍が外側ガラス繊維層６によって効果的に補強される。従って、この境界部分近傍における応力集中を緩和でき、螺旋状糸ガイド２が存在する竿尻側の領域から螺旋状糸ガイド２が存在しない竿先側の領域にかけての曲がり具合をスムーズにすることができる。特に外側ガラス繊維層６がガラス繊維を使用したものであるため、境界部分近傍における調子にガラス繊維特有の粘りを出すことができる。
【００４５】
しかも、螺旋状糸ガイド２の竿先側端部２ａよりも竿先側においてはメイン層５が内側のガラス繊維層４と外側ガラス繊維層６によってサンドイッチされた層構造となるので、螺旋状糸ガイド２の竿先側端部２ａよりも竿先側におけるメイン層５を薄くすることができ、軟らかくて粘りのある穂先の調子を容易に出すことができる。また、外側ガラス繊維層６がメイン層５よりも竿先側に延びているので、螺旋状糸ガイド２の竿先側端部２ａとメイン層５の竿先側端部５ａという穂先部における二つの重要なポイントを外側ガラス繊維層６によって効果的に補強することができる。しかも、メイン層５の竿先側端部５ａよりも竿先側において外側ガラス繊維層６がガラス繊維層４と一体化しているので、メイン層５の竿先側端部５ａにおける調子の変化を抑制しやすい。また、ガラス繊維層４のガラス繊維と外側ガラス繊維層６のガラス繊維が何れも軸線方向に沿っているので、メイン層５の竿先側端部５ａよりも竿先側において内外二つのガラス繊維層４，６が強固に一体化して一つのガラス繊維層として機能する。
【００４６】
このように本実施形態における中通し竿は各種の竿に適用でき、例えばルアーロッドや船竿に適しているが、元部に張りを持たせつつ穂先に軟らかい調子を出すことできるので、特にバット（元部）のパワーが大きくティップ（穂先）が軟らかい特性のロッド、例えばエギングロッドに好適であり、イカパンチを的確に捉えてフッキングに持ち込むことができる。
【００４７】
尚、本実施形態では、螺旋状糸ガイド２を採用したが、これに代えて図１０のように複数の環状糸ガイド３０，３１を軸線方向に間隔をおいて配置してもよい。この場合には、螺旋状糸ガイド２の竿先側端部２ａの位置に最も竿先側の環状糸ガイド３０が位置することになる。その他の点は上記構成と同じであり、同様に軟らかい穂先の調子を出すことができる。
【００４８】
また、螺旋状糸ガイド２や環状糸ガイド３０，３１のように竿本体１を焼成する際にその内周面１ａに一体化した構成とするのではなく、竿本体１の内周面１ａを構成するプリプレグの一部を内側に突出させることで釣り糸案内部を形成する構成においても、メイン層５の内側にガラス繊維層４を形成することによって穂先の調子を軟らかいものにすることができる。特に、釣り糸案内部として微小突起を形成すると、竿本体１を構成する強化繊維、特に軸線方向に沿った強化繊維における蛇行が少なくなり、穂先部における強度低下を抑制できる。
【００４９】
竿本体１の内周面１ａに糸ガイド用の微小突起を形成する構成の一例について図１１乃至図１４を参酌しつつ説明する。まず図１１において領域Ｑ１は内層３が形成された領域であり、領域Ｑ２はガラス繊維層４が形成された領域であり、領域Ｑ３はメイン層５が形成された領域である。但し、領域Ｑ１，Ｑ３については竿先側のみを示している。内層３やガラス繊維層４、メイン層５の強化繊維等は上記実施形態と同様である。この場合も図１の場合と同様に外層を全長に亘って形成することが好ましいが、ここでは図示を省略している。尚、図１１も図１と同様に竿本体１の竿先側の部分を中心線から片側のみの断面図として示している。
【００５０】
図１２及び図１３のように内層３は竿本体１の全長に亘って形成されており、この内層３は図１の構成と同様であり、竿本体１の内周面１ａを形成している。この竿本体１の内周面１ａを形成している内層３には軸線方向に間隔をおいて微小突起４０が螺旋状に形成されている。具体的には、軸線方向に一定間隔毎に微小突起４０が竿本体１の全長に亘って形成されている。該微小突起４０は、内層３が段差を形成するように局所的に僅かな量で径方向に折れ曲がることにより形成され、その段差は竿先側が径方向外側となる段差である。即ち、内層３は、竿先側に向けて所定長さテーパ状に縮径し、微小突起４０を形成すべく径方向外側に折れ曲がって段差を形成し、そこから更に竿先側に向けて再びテーパ状に縮径する。この繰り返しによって微小突起４０が一定間隔毎に形成されている。
【００５１】
このような微小突起４０は次のようにして形成される。図１４のように焼成後に除去する薄肉の樹脂テープ４１をマンドレル１０に竿尻側から竿先側に向けて所定幅オーバーラップさせながら螺旋状に巻回すると、樹脂テープ４１の竿尻側の側縁において段差が形成される。その上に内層３を形成するためのテープ状のプリプレグ４２を巻回すると、樹脂テープ４１の側縁の段差がテープ状のプリプレグ４２に反映されてそこにも段差が生じる。更にその上にガラス繊維層４やメイン層５を形成するためのプリプレグ４３を巻回する。焼成後に樹脂テープ４１を除去すると内層３が階段状となり、その段差の箇所がそのまま微小突起４０となる。尚、図１４においてハッチングは省略されている。
【００５２】
内層３が微小突起４０を形成しつつ階段状となることから、その外側のガラス繊維層４やメイン層５もその影響をある程度受けて階段状となる。ガラス繊維層４は穂先部におけるメイン層５の内側に形成されている。図１２に示すようにメイン層５は竿本体１の穂先先端部１ｂまで形成されていない。その一方、ガラス繊維層４はメイン層５の竿先側端部５ａよりも竿先側に延びていて竿本体１の穂先先端部１ｂまで達している。従って、領域Ｑ２においては内層３の微小突起４０はガラス繊維層４に影響を与えることになり、メイン層５には微小突起４０の影響がガラス繊維層４を介して伝わることになる。即ち、ガラス繊維層４がメイン層５の内側に形成されているので、微小突起４０を形成することによるメイン層５への影響はガラス繊維層４によって遮断あるいは緩和されることになる。そして、ガラス繊維層４がメイン層５の竿先側端部５ａよりも竿先側に延びていて竿本体１の穂先先端部１ｂまで形成され、メイン層５は竿本体１の穂先先端部１ｂまで形成されていないので、メイン層５の竿先側端部５ａよりも竿先側においてはメイン層５が存在しない。そして、ガラス繊維層４のガラス繊維はメイン層５のカーボン繊維に比して低弾性であって粘りがあるので微小突起４０の形成に対して鈍感であり、強度低下の度合いが小さい。従って、竿尻側に比して小径で微小突起４０の影響が相対的に大きく出やすい穂先部であっても、ガラス繊維層４を形成しているのでその影響が小さく、微小突起４０を形成したことによる穂先部の強度低下を最小限に抑制することができる。その結果、軟らかい調子の穂先にすることが容易となる。
【００５３】
尚、図１１乃至図１３のように、ガラス繊維層４は、竿本体１の穂先先端部１ｂからメイン層５の竿先側端部５ａに向けて徐々に厚肉となり、そこからガラス繊維層４の竿尻側端部４ａまで徐々に薄肉となっていくように形成することが好ましい。
【００５４】
尚、上記実施形態においては、ガラス繊維層４や外側ガラス繊維層６に軸線方向に沿ったガラス繊維を有するプリプレグを使用する場合について説明したが、ガラス繊維層４と外側ガラス繊維層６の双方あるいは一方にガラス繊維の不織布を使用してもよい。但し、ガラス繊維が軸線方向に引き揃えられたプリプレグを使用すると、プリプレグの厚さが薄くなり、製造が容易となるうえに竿本体１の形状にバラツキが生じにくい。
【００５５】
尚、図１や図１０に示したガイドレス領域に微小突起４０を形成してもよい。
【符号の説明】
【００５６】
１    竿本体
１ａ  内周面
１ｂ  穂先先端部
２    螺旋状糸ガイド
２ａ  竿先側端部
３    内層
４    ガラス繊維層
４ａ  竿尻側端部
５    メイン層
５ａ  竿先側端部
６    外側ガラス繊維層
６ａ  竿先側端部
７    外層
１０    マンドレル
１１    糸状部材
１２    除去テープ
１３    口巻きテープ
１４    プリプレグ
１５    プリプレグ
１６    プリプレグ
２０    トップガイド
２１    ホルダーベース
２１ａ  段差部
２１ｂ  雄ネジ部
２１ｃ  縮径部
２２    ガイドリング
２３    ガイドホルダー
２３ａ  雌ネジ部
２３ｂ  ストッパー壁
２４    蓄光体
２５    巻糸部
２６    樹脂コート層
２６ａ  縮径部
３０    環状糸ガイド
３１    環状糸ガイド
４０    微小突起
４１    樹脂テープ
４２    プリプレグ
４３    プリプレグ
【図１】
0005916402.tif 000002
【図２】
0005916402.tif 000003
【図３】
0005916402.tif 000004
【図４】
0005916402.tif 000005
【図５】
0005916402.tif 000006
【図６】
0005916402.tif 000007
【図７】
0005916402.tif 000008
【図８】
0005916402.tif 000009
【図９】
0005916402.tif 000010
【図１０】
0005916402.tif 000011
【図１１】
0005916402.tif 000012
【図１２】
0005916402.tif 000013
【図１３】
0005916402.tif 000014
【図１４】
0005916402.tif 000015